(57)【特許請求の範囲】
【請求項１】
有機抽出剤を繰り返し使用する循環プロセスを用いて金を回収する方法であって、
金を含有する酸性水溶液に対して、前記有機抽出剤を接触させる抽出工程と、
該抽出工程後の抽出後有機抽出剤に対して、還元性を有する物質を含有する還元物質含有水溶液を接触させる還元工程と、
該還元工程後の還元後有機抽出剤を前記抽出工程の前記有機抽出剤として循環供給する抽出剤循環工程と、を含み、
前記還元工程において、
前記還元工程後の還元物質含有水溶液中の塩化物イオンの濃度が２．０ｍｏｌ／Ｌ以下となるように調整し、前記有機抽出剤への前記還元性を有する物質の抽出を抑制し得る還元物質含有水溶液管理工程を含み、
前記還元性を有する物質が、シュウ酸またはシュウ酸塩であり、
前記有機抽出剤が、ビス（２−ブトキシエチル）エーテルである
ことを特徴とする金の溶媒抽出方法。
【請求項２】
前記還元物質含有水溶液管理工程において、
前記抽出後有機抽出剤中の金イオンと前記還元物質含有水溶液中の還元性を有する物質との反応を進行させ得るように、前記還元工程後の還元物質含有水溶液中の塩化物イオンの濃度が０．８ｍｏｌ／Ｌ以上、２．０ｍｏｌ／Ｌ以下となるように調整する
ことを特徴とする請求項１記載の金の溶媒抽出方法。
【請求項３】
前記抽出剤循環工程において、
前記還元後有機抽出溶剤を前記抽出工程の前記有機抽出剤として循環供給する前に、該還元後有機抽出溶剤に対して、水を接触させる洗浄工程を含む
ことを特徴とする請求項１または２記載の金の溶媒抽出方法。
【請求項４】
前記抽出剤循環工程において、
前記抽出工程の前記有機抽出剤として繰り返し循環して使用するときの前記還元後有機抽出剤中の前記還元性を有する物質の濃度が０．０１ｍｏｌ／Ｌ以下となるように調整する抽出剤管理工程を含む
ことを特徴とする請求項１、２または３記載の金の溶媒抽出方法。
【発明の詳細な説明】
【技術分野】
【０００１】
本発明は、金の溶媒抽出方法に関する。さらに詳しくは、湿式精錬において、貴金属を溶媒に抽出し、かかる溶媒から金を還元して回収する金の溶媒抽出方法に関する。
【背景技術】
【０００２】
従来、鉱石等からの金を回収する場合、以下の方法が採用されている。
まず、鉱石や市場から回収したスクラップなど金を含有する原料を、塩素または塩化物などを含む酸性水溶液に浸漬等して金を溶解する。ついで、この金を含有する水溶液から有機溶媒を用いて金を抽出する。そして、この金を含む有機溶媒に対して還元剤を含む水溶液を接触させることにより、金を回収する。
【０００３】
上述した方法において、金の抽出に使用される有機溶媒としては、金を選択的に抽出することができるビス（２−ブトキシエチル）エーテルが知られている。このビス（２−ブトキシエチル）エーテルは、金が３価の形態の場合に金と良好に反応するという性質を有する。このため、金が３価の形態（例えば、ＡｕＣｌ３、または、ＨＡｕＣｌ４の形態）として含有する酸性水溶液に対してビス（２−ブトキシエチル）エーテルを混合すれば、かかる酸性水溶液から金を選択的に溶媒抽出することができる。例えば、特許文献１には、このビス（２−ブトキシエチル）エーテルを用いて、金を含有する酸性水溶液から金を選択的に抽出する技術が開示されている。
【先行技術文献】
【特許文献】
【０００４】
【特許文献１】特開平１１−１４０５４９号公報
【発明の概要】
【発明が解決しようとする課題】
【０００５】
ところで、工業的には、通常、有機溶媒は、高価かつ多量に使用するので、金を回収した後、繰り返し使用されることが多い。上述した金の回収プロセスでも、酸性水溶液から金を抽出するための有機溶媒は、金を回収した後、金を抽出する工程に供給される。つまり、金の回収プロセスでは、有機溶媒を循環させて、繰り返し有機溶媒を金の回収に使用している。
【０００６】
しかるに、この循環プロセスにより金を抽出する場合、有機溶媒を循環しないプロセスに比べて、金の回収率が減少するという現象が発生している。金は非常に高価で希少価値が高い金属であるので、数パーセントの回収率の低下でも経済的損失は甚大なものとなる。
このため、循環プロセスでは、金の回収率の減少によって、工業的に安定した操業が行えないという問題が生じている。また、高い回収率を維持するために過大な設備投資を行ったり、煩雑な工程を採用する結果、手間がかかったり、コスト上昇に伴う効率の低下といった問題も生じている。
【０００７】
上記現象の原因を特定することは、工業的に金の回収率を管理する上で非常に重要であり、これまで様々研究されている。
しかしながら、現在、上記現象を引き起こす原因は、いまだ特定されておらず、かかる現象の解明が長い間求められているというのが実情である。
【０００８】
本発明は上記事情に鑑み、抽出溶剤を繰り返し使用する循環プロセスを用いた場合でも金の抽出率の低下を抑制することができる金の溶媒抽出方法を提供することを目的とする。
【課題を解決するための手段】
【０００９】
第１発明の金の溶媒抽出方法は、有機抽出剤を繰り返し使用する循環プロセスを用いて金を回収する方法であって、金を含有する酸性水溶液に対して、前記有機抽出剤を接触させる抽出工程と、該抽出工程後の抽出後有機抽出剤に対して、還元性を有する物質を含有する還元物質含有水溶液を接触させる還元工程と、該還元工程後の還元後有機抽出剤を前記抽出工程の前記有機抽出剤として循環供給する抽出剤循環工程と、を含み、前記還元工程において、前記還元工程後の還元物質含有水溶液中の塩化物イオンの濃度が２．０ｍｏｌ／Ｌ以下となるように調整し、前記有機抽出剤への前記還元性を有する物質の抽出を抑制し得る還元物質含有水溶液管理工程を含み、前記還元性を有する物質が、シュウ酸またはシュウ酸塩であり、前記有機抽出剤が、ビス（２−ブトキシエチル）エーテルであることを特徴とする。
第２発明の金の溶媒抽出方法は、第１発明において、前記還元物質含有水溶液管理工程において、前記抽出後有機抽出剤中の金イオンと前記還元物質含有水溶液中の還元性を有する物質との反応を進行させ得るように、前記還元工程後の還元物質含有水溶液中の塩化物イオンの濃度が０．８ｍｏｌ／Ｌ以上、２．０ｍｏｌ／Ｌ以下となるように調整することを特徴とする。
第３発明の金の溶媒抽出方法は、第１または第２発明において、前記抽出剤循環工程において、前記還元後有機抽出溶剤を前記抽出工程の前記有機抽出剤として循環供給する前に、該還元後有機抽出溶剤に対して、水を接触させる洗浄工程を含む
ことを特徴とする。
第４発明の金の溶媒抽出方法は、第１、第２または第３発明において、前記抽出剤循環工程において、前記抽出工程の前記有機抽出剤として繰り返し循環して使用するときの前記還元後有機抽出剤中の前記還元性を有する物質の濃度が０．０１ｍｏｌ／Ｌ以下となるように調整する抽出剤管理工程を含むことを特徴とする。
【発明の効果】
【００１０】
第１発明によれば、還元工程後の還元物質含有水溶液中の塩化物イオンの濃度が所定濃度以下となるように維持されるので、還元性を有する物質が還元物質含有水溶液中に未反応に残存するのを抑制できる。このため、還元工程において、還元性を有する物質が還元物質含有水溶液から有機抽出剤中に移動するのを抑制することができる。すると、抽出工程において、有機抽出剤中に存在する還元性を有する物質に起因する有機抽出剤による金の抽出率の低下を抑制することができるので、循環プロセスにおける金の回収率の減少を抑制することができる。したがって、工業的に循環プロセスにより金を回収する場合、安定した操業を行うことができる。また、金の回収率を維持するための過大な設備投資を行わなくてもよくなったり、回収率を維持するための煩雑な工程を採用しなくてもよくなるので、手間やコスト上昇に伴う効率の低下を解消することができる。
第２発明によれば、還元工程後の還元物質含有水溶液中の塩化物イオンの濃度が所定の範囲内となるように維持されるので、還元性を有する物質還元物質含有水溶液中に未反応に残存する状態をより適切に抑制できる。
第３発明によれば、繰り返し循環して使用する有機抽出剤中に存在または残留する還元性を有する物質の濃度を確実に所定の濃度以下となるようにすることができる。
第４発明によれば、抽出剤循環工程において、繰り返し循環して使用する有機抽出剤中に存在または残留する還元性を有する物質が所定の濃度以下となるように維持されるので、循環プロセスにおける金の回収率の減少をより抑制することができるようになる。
【図面の簡単な説明】
【００１１】
【図１】本実施形態の金の溶媒抽出方法のフローチャートである。
【図２】実施例の結果を示した図である（マススペクトル）。
【図３】実施例の結果を示した図であり（１３Ｃ  ＮＭＲスペクトル）、（Ａ）はサンプルの１３Ｃ  ＮＭＲスペクトルであり、（Ｂ）は標準試料の１３Ｃ  ＮＭＲスペクトルである。
【図４】実施例の結果を示した図である（ＨＰＬＣのクロマトグラム）。
【図５】実施例の結果を示した図である（ＩＣのクロマトグラム）。
【発明を実施するための形態】
【００１２】
本発明の金の溶媒抽出方法は、有機抽出剤を使用して酸性水溶液中から金を回収する方法において、有機抽出剤を繰り返し循環して使用した場合でも、有機抽出剤による金の抽出率の低下を抑制できるようにしたことに特徴を有している。
【００１３】
図１に示すように、本発明の金属の溶媒抽出方法（以下、単に本溶媒抽出法という）は、金を含有する酸性水溶液から有機抽出剤を用いて金を抽出する抽出工程と、抽出した有機抽出剤中の金を還元する還元工程と、還元工程後の有機抽出剤を繰り返し循環して使用する抽出剤循環工程と、を有している。そして、本溶媒抽出法は、抽出剤循環工程の抽出剤管理工程において、循環する有機抽出剤中に存在または残留する還元性を有する物質の濃度を調製することにより、金の抽出率の低下を抑制できるようにしている。
【００１４】
なお、本明細書では、本溶媒抽出法において、抽出工程、還元工程、の順に処理した有機抽出剤を、再度、抽出工程における抽出剤として使用するために繰り返し循環して使用することを、循環プロセスという。
【００１５】
また、本溶媒抽出法において、抽出工程において金が抽出される酸性水溶液は、金を含有する酸性水溶液であれば、どのようなものでも使用することができる。例えば、鉱石や市場から回収したスクラップなどの金を含有する原料を、塩素または塩化物などを含む酸性水溶液中に浸漬等して溶解することにより得られる酸性水溶液を使用することができる。
【００１６】
（抽出工程について）
本溶媒抽出法の抽出工程は、金を含有する酸性水溶液に対して有機抽出剤を接触させる工程であり、この酸性水溶液中に存在する金イオンを、かかる水溶液中から有機抽出剤に移動させる工程である。つまり、有機抽出剤により酸性水溶液中に存在する金を抽出する工程である。なお、抽出工程後の有機抽出剤が、特許請求の範囲の抽出後有機抽出剤に相当する。
【００１７】
この抽出工程に使用される有機抽出剤は、酸性水溶液中に存在している金イオンを抽出する機能を有する有機抽出剤であれば、とくに限定されない。
例えば、ビス（２−ブトキシエチル）エーテルや、エチレングリコールモノエチルエーテルなどのエーテル系有機溶媒、エステル系の有機溶媒として、例えば、酢酸エチル、酢酸イソブチル、酢酸イソプロピルなどを挙げることができる。ケトン系有機溶媒としては、例えば、ジイソブチルケトン、メチルイソブチルケトンを挙げることができる。アミン系の有機溶媒として、例えば、ジオクチルアミン、トリオクチルアミンなどを挙げることができる。
とくに、金を選択的に抽出し回収する上では、ビス（２−ブトキシエチル）エーテルを用いるのが好ましい。このビス（２−ブトキシエチル）エーテルは、３価の金イオンと選択的に結合する一方、１価の金イオンとは結合しにくい性質を有する。このため、酸性水溶液中に存在する金を３価の状態にすれば、金イオンをビス（２−ブトキシエチル）エーテルにより選択的に抽出することができる。そして、ビス（２−ブトキシエチル）エーテル中に取り込まれた３価の金イオンを、後述する還元工程において１価の状態に還元すれば、簡単にビス（２−ブトキシエチル）エーテル中から金を取り出すことができる。このため、ビス（２−ブトキシエチル）エーテルは、金の回収プロセスにおいて、非常に有用な有機抽出剤として使用されている。
なお、ビス（２−ブトキシエチル）エーテルは、ジブチルカルビトールとも呼ばれるため、以下、ビス（２−ブトキシエチル）エーテルを単にＤＢＣという。
【００１８】
以下では、本溶媒抽出法の抽出工程に用いられる有機抽出剤として、ビス（２−ブトキシエチル）エーテルを用いる場合を代表として説明する。
【００１９】
（還元工程について）
本溶媒抽出法の還元工程は、上述した抽出工程後のＤＢＣに対して還元性を有する物質を含有する還元物質含有水溶液を接触させる工程である。
具体的には、抽出後のＤＢＣに対して還元物質含有水溶液を接触させることにより、かかるＤＢＣ中の３価の金イオンを還元物質含有水溶液中の還元性を有する物質（以下、単に還元物質という）で１価の金イオンに還元し金を金属単体として析出させる工程である。還元物質として、例えば、シュウ酸や、シュウ酸ナトリウムやシュウ酸カリウム、シュウ酸アンモニウム等のシュウ酸アルカリ塩、鉄(II)化合物、過酸化水素、二酸化硫黄、亜硫酸塩などを採用することができる。
【００２０】
例えば、シュウ酸を使用した場合の還元工程における反応は、下記の化学式１のような反応として表すことができる。つまり、下記の化学式１の反応が右辺側に進行すれば、金イオンが還元されて金が析出するので、かかる金を回収するのである。
（化学式１） 
２ＨＡｕＣｌ４+３（ＣＯＯＨ）２ →  ２Ａｕ+６ＣＯ２+８ＨＣｌ
【００２１】
なお、本溶媒抽出法の還元工程には、上述したような還元物質を使用することができるが、シュウ酸を使用すれば、分解後に二酸化炭素と塩酸しか副性せず、析出した金粉中に不純物が混入しないという利点が得られる。そこで、以下では、代表として、還元物質としてシュウ酸を使用する場合を説明する。
【００２２】
（抽出剤循環工程について）
本溶媒抽出法の抽出剤循環工程は、上述した還元工程後のＤＢＣを繰り返し使用するための工程である。
具体的には、還元工程後のＤＢＣを抽出工程における有機抽出剤として繰り返し循環して使用するために、上述した抽出工程に還元工程後のＤＢＣを循環供給する工程である。この繰り返し循環して使用するＤＢＣを以下、リサイクルＤＢＣという。
【００２３】
このリサイクルＤＢＣを、抽出工程に循環供給する方法は、とくに限定されない。例えば、還元工程後のリサイクルＤＢＣが入っている容器内と、抽出工程の酸性水溶液が入っている容器とを連結する配管を設けていれば、かかる配管内を通して、還元工程後のリサイクルＤＢＣを抽出工程の有機抽出剤として供給することできる。
【００２４】
このリサイクルＤＢＣは、抽出工程に供給する前に、以下の抽出剤管理工程によって抽出工程に循環供給するか否かの判断がなされる。
【００２５】
なお、抽出剤循環工程で循環させるリサイクルＤＢＣは、特許請求の範囲の還元工程後の還元後有機抽出剤に相当する。
【００２６】
（抽出剤管理工程について）
本溶媒抽出法の抽出剤管理工程は、リサイクルＤＢＣに、シュウ酸がどの程度存在または残留しているかを分析する工程である。そして、抽出剤管理工程では、かかる分析結果に基づいて、リサイクルＤＢＣを抽出工程に循環供給するか否かを判断する。具体的には、シュウ酸の濃度が所定の値以下であれば、リサイクルＤＢＣを抽出工程に循環供給する。一方、シュウ酸の濃度が所定の値よりも高い場合には、後述する処理を行って、抽出工程に供給されるリサイクルＤＢＣのシュウ酸濃度が所定の値以下となるように調製する。例えば、リサイクルＤＢＣ中のシュウ酸濃度が、０．０１ｍｏｌ／ｌ（１ｇ／ｌ）以下となるように調製するが、詳細は後述する。
【００２７】
本溶媒抽出法は、以上のごとき工程で実施されるので、循環プロセスにおいて、繰り返し循環使用する有機抽出剤（上述したリサイクルＤＢＣ）中の還元物質（上述したシュウ酸）の濃度が所定の値以下となるように調製することができる。すると、抽出工程における有機抽出剤による金の抽出率の低下を抑制することができるから、金の回収率が減少するのを抑制することができる。
したがって、本溶媒抽出法を採用すれば、有機抽出剤を再利用して工業的に循環プロセスにより金を回収する場合、安定した操業を行うことができる。また、金の回収率を維持するための過大な設備投資を行わなくてもよくなったり、回収率を維持するための煩雑な工程を採用しなくてもよくなるので、手間やコスト上昇に伴う効率の低下を解消することができる。
【００２８】
つぎに、本溶媒抽出法の特徴である抽出剤管理工程について、詳細に説明する。
【００２９】
（抽出剤管理工程の説明）
本溶媒抽出法の抽出剤管理工程は、上述したようにリサイクルＤＢＣ中のシュウ酸濃度が所定の値以下となるように調製する工程である。
まず、抽出剤管理工程の詳細を説明する前に、リサイクルＤＢＣ中のシュウ酸濃度を所定の値以下にする理由を説明する。
【００３０】
（シュウ酸濃度を低下させる理由）
リサイクルＤＢＣ中のシュウ酸濃度が所定の値よりも大きい場合、下記化学式２のような反応により、抽出工程において、リサイクルＤＢＣによって抽出された３価の金イオンがリサイクルＤＢＣ中に存在または残留するシュウ酸により還元されてしまう。還元された金イオンは、リサイクルＤＢＣ中では保持されない形態の１価の状態となる。このため、リサイクルＤＢＣによる金の抽出率が低下してしまう。
（化学式２） 
Ａｕ３＋＋（ＣＯＯＨ）２    → Ａｕ＋＋２ＣＯ２＋２Ｈ＋
【００３１】
一方、リサイクルＤＢＣ中のシュウ酸濃度が所定の値よりも小さければ、化学式２のような反応が起こりにくくなる。
したがって、リサイクルＤＢＣ中のシュウ酸濃度を、リサイクルＤＢＣに抽出した金に対して還元剤として作用しにくい濃度となるように調製することによって、リサイクルＤＢＣにより抽出した金イオンが、リサイクルＤＢＣ中で保持される状態を維持するのである。言い換えれば、リサイクルＤＢＣ中に存在または残留するシュウ酸によって、リサイクルＤＢＣによる金の抽出率が抑制されるのを防止するのである。
【００３２】
以上の理由から、抽出剤管理工程では、リサイクルＤＢＣ中のシュウ酸濃度を、上記化学式２の反応が進行しない程度の濃度以下となる０．０１ｍｏｌ／ｌ（１．０ｇ／ｌ）以下となるように調製する。リサイクルＤＢＣ中のシュウ酸濃度を０．０１ｍｏｌ／ｌ（１．０ｇ／ｌ）以下となるように調製すれば、抽出工程において、リサイクルＤＢＣを用いて金を抽出する際の金の抽出効率を高い状態で維持することができる。言い換えれば、上述した循環プロセスにおいて、リサイクルＤＢＣによる金の抽出率の低下を抑制することができるのである。
なお、リサイクルＤＢＣのシュウ酸  濃度は、０．０１ｍｏｌ／ｌ（１．０ｇ／ｌ）以下となるように調整されていればよいが、金の抽出時における金の価数を安定的に３価に維持できるという点では、０．００９ｍｏｌ／ｌ（０．８ｇ／ｌ）以下、より好ましくは、０．００５ｍｏｌ／ｌ（０．４５ｇ／ｌ）以下、さらに好ましくは、０．００１ｍｏｌ／ｌ（０．１ｇ／ｌ）以下に維持されるように調整される。
なお、シュウ酸の濃度は、シュウ酸１ｍｏｌあたり９０ｇとして算出する。
【００３３】
（リサイクルＤＢＣ中のシュウ酸濃度の調製について）
抽出剤管理工程では、リサイクルＤＢＣ中のシュウ酸濃度に基づいて、リサイクルＤＢＣを抽出工程に循環供給するか否かを判断する。そして、リサイクルＤＢＣ中のシュウ酸濃度が所定の濃度以下であれば、リサイクルＤＢＣを抽出工程に循環供給する。
【００３４】
一方、シュウ酸の濃度が所定の値よりも高い場合には、以下の処理を行うことにより、抽出工程に循環供給する際のリサイクルＤＢＣ中のシュウ酸濃度が所定の値以下となるように調製する。
【００３５】
例えば、かかるリサイクルＤＢＣを廃棄処分して、新しいＤＢＣを新規に追加して抽出工程に循環供給することができる。また、かかるリサイクルＤＢＣに新しいＤＢＣを添加してシュウ酸濃度を所定の値以下に調製したものを抽出工程に循環供給することができる。
【００３６】
また、新しいＤＢＣを使用せずに、リサイクルＤＢＣを処理してシュウ酸の濃度を低下させるようにしてもよい。例えば、リサイクルＤＢＣを水で洗浄することにより、シュウ酸濃度が所定の値以下となるように調製したものを抽出工程に循環供給する処理を採用することができる（後述する洗浄工程）。この場合、ＤＢＣを有効に再処理することができる。しかも、水で洗浄することにより、シュウ酸はもちろん、それ以外の不純物も洗浄することができるので、リサイクルＤＢＣをよりきれいな状態にすることができる。
【００３７】
（洗浄工程の説明）
シュウ酸の濃度が所定の値よりも高い場合、かかるリサイクルＤＢＣを水で洗浄することによって、シュウ酸濃度が所定の値以下となるように再処理する洗浄工程について説明する。
【００３８】
洗浄工程では、まず、シュウ酸の濃度が所定の値よりも高いリサイクルＤＢＣを抽出剤循環工程から一時的に洗浄工程に移動させる。そして、移動させたリサイクルＤＢＣに対して、水を接触させてリサイクルＤＢＣ中に存在または残留しているシュウ酸を水を用いて抽出する。つまり、シュウ酸の溶解度差を利用して、リサイクルＤＢＣから水にシュウ酸を移動させるのである。
かかる工程により、シュウ酸が除去されたリサイクルＤＢＣは、洗浄工程から抽出剤循環工程に移動すれば、再度、抽出工程の有機抽出剤として繰り返し循環供給することができる。
【００３９】
なお、洗浄工程に用いられる水は、リサイクルＤＢＣ中に存在または残留する水を、洗浄水に移動させることができるレベルの水質を有する水であれば、とくに限定されない。例えば、上述したシュウ酸の分析方法で使用するレベルの水を採用することができる。
また、この水を接触させる方法は、とくに限定されず、上述した、両者を機械的に撹拌したり、バブリングにより液体を混合したりする方法を採用することができるが、このように強制的にＤＢＣと水とを機械的に混合することにより、効率よくＤＢＣ中の還元性物質を分離することができる。
【００４０】
また、洗浄工程後のリサイクルＤＢＣ中のシュウ酸濃度を分析すれば、かかるリサイクルＤＢＣ中のシュウ酸濃度が所定の値以下に調製されていることをより確実に把握することができる。
【００４１】
さらになお、洗浄工程後の洗浄水には、リサイクルＤＢＣから移動（つまり溶解）してくるＤＢＣが含まれる。一般的に、ＤＢＣは、水１Ｌに対して約３ｇ程度溶解することが知られている。このため、大量のリサイクルＤＢＣを洗浄工程を用いて再処理する場合には、かかる洗浄水からＤＢＣを回収することができれば、より経済的に好ましい。
洗浄水中からＤＢＣを回収する方法は、とくに限定されない。例えば、かかる洗浄水を加熱蒸留すれば、不純物が少ないＤＢＣを回収することができるので好ましい。
【００４２】
（シュウ酸の分析方法について）
上述したように、抽出剤管理工程では、リサイクルＤＢＣ中のシュウ酸濃度を分析して、その分析結果に基づいて、リサイクルＤＢＣを抽出工程に循環供給するか否かを判断している。
リサイクルＤＢＣ中のシュウ酸濃度を測定する方法は、とくに限定されない。しかし、シュウ酸は、通常、有機溶媒などには溶解しないと考えられていたため、精度よく分析することが難しい。しかし、以下の分析方法を採用すれば、有機溶媒に含まれるシュウ酸を精度よく分析することができる。とくに、洗浄工程後のリサイクルＤＢＣでは、シュウ酸濃度がさらに低下しているので、以下の分析方法で分析することが望ましい。以下、リサイクルＤＢＣ中のシュウ酸濃度の分析方法を説明する。
【００４３】
リサイクルＤＢＣ中のシュウ酸の分析方法は、リサイクルＤＢＣを一部分取した後、この分取リサイクルＤＢＣに対して水を加え撹拌静置する。所定時間静置した後、分離した２液のうち、水相の一部を分取して機器分析に供する分析試料を調製する。そして、分析試料を機器分析を用いてリサイクルＤＢＣ中のシュウ酸濃度を算出する。
【００４４】
以下、詳細に説明する。
このシュウ酸の分析方法は、抽出剤循環工程において繰り返し循環使用される有機抽出剤に対して水を接触させて、分析試料を調製する前処理工程と、前処理工程で調製された分析試料を分析する分析工程と、を順に行う方法である。
【００４５】
なお、以下では、抽出剤循環工程において繰り返し循環使用される有機抽出剤として、上述した場合と同様にＤＢＣを代表として説明する。また、この繰り返し循環使用されるＤＢＣを上述した場合と同様に、以下、リサイクルＤＢＣという。
【００４６】
（前処理工程について）
前処理工程では、まず、リサイクルＤＢＣに対して水を接触させる。かかるリサイクルＤＢＣは水に対して不溶性を示すので、両者を接触させた後、簡単に分離することができる。そして、この分離した２溶液のうち、水相に相当する水溶液を分取すれば、次工程に供する分析試料として用いることができる。
【００４７】
なお、リサイクルＤＢＣに対して水を接触させる方法は、とくに限定されない。例えば、両者を機械的に撹拌して混合する方法や、バブリングにより液体を混合する方法、両者を並流で流す方法、両者を向流で流す方法、などを挙げることができる。なお、以下では、両者を接触させる場合を、単に２液を混合するという。
【００４８】
シュウ酸は、分子内に極性を有する物質であるため、水に対して非常に溶解し易い一方、疎水性の有機溶媒に対する溶解性が非常に低い。
そこで、本シュウ酸の分析方法では、かかる溶解度の差を利用することによって、リサイクルＤＢＣ中に存在または残留するシュウ酸を選択的に抽出し分析するのである。
【００４９】
前処理工程に用いられる水は、上述したシュウ酸のリサイクルＤＢＣと水との溶解度を利用した選択的抽出が行えるものであれば、とくに限定されない。
例えば、一般的な分析方法の前処理で用いられる水を使用することができる。とくに、リサイクルＤＢＣ中のシュウ酸濃度が低いと場合または低いと想定される場合には、シュウ酸の抽出率の低下を抑制する上で、有機物が可能な限り含有されていない水が好ましい。
また、分析機器として液体クロマトグラフ質量分析計や高速液体クロマトグラフなどを用いる場合、水に含まれる有機物が妨害成分となる可能性があるので、かかる場合にも、可能な限り有機物を含んでいない水を用いるのが好ましい。
【００５０】
上述した水としては、例えば、有機物濃度(ＴＯＣなど)が＜０.００１ｇ／ｌ程度の超純水や純水などを挙げることができる。
【００５１】
なお、この分析試料は、次工程において使用する分析機器に応じて適宜希釈等の処理を行ってもよいのは言うまでもない。例えば、インフュージョン法を用いる場合には、１０〜１００倍程度に希釈したものを分析試料とすることができる。
【００５２】
（分析工程について）
分析工程では、上述した前処理工程で調製された分析試料を所定の分析機器を用いて測定する工程である。
【００５３】
分析機器は、上記分析試料をそのまま、または希釈するだけで、シュウ酸の測定が可能な機器が好ましい。また、上記分析試料をそのまま、または希釈することでは測定できない場合には、シュウ酸をメチルエステル化などとすることによって測定できる機器を用いてもよい。
【００５４】
分析工程に用いることが可能な分析機器として、例えば、クロマトグラフィー、核磁気共鳴法（ＮＭＲ法）、赤外分光法を挙げることができる。
【００５５】
これらの分析機器のうち、クロマトグラフィーに用いられる液体クロマトグラフが好ましく、定量性を求める上では高速液体クロマトグラフ、イオンクロマトグラフが好ましい。
例えば、液体クロマトグラフ質量分析計を用いてリサイクルＤＢＣ中のシュウ酸濃度を分析する場合、分析試料は水溶液であるので、ほぼそのままの状態で測定することができる。そして、液体クロマトグラフ質量分析計により得られるクロマトグラムからシュウ酸のピークを検索し、かかるピーク面積に基づいてリサイクルＤＢＣ中に存在または残存するシュウ酸の濃度を算出する。
【００５６】
また、質量分析計を検出器とした液体クロマトグラフ質量分析計や高速液体クロマトグラフ質量分析計を用いれば、得られた値をシュウ酸の質量の理論値と比較することができるので、シュウ酸の検出精度を向上させることができる。
なお、質量分析計として飛行時間型（ＴＯＦ）質量分析計や、二重収束型質量分析計を用いれば、精密質量の値を得ることができるので、シュウ酸の精密質量との理論値と比較することができるので、検出精度をより向上させることができる。
【００５７】
一方、ガスクロマトグラフィーに用いられるガスクロマトグラフやガスクロマトグラフ質量分析計などを用いる場合には、シュウ酸をジアゾメタンまたはBF3/メタノールによるメチルエステル化すれば、かかる分析機器を用いてシュウ酸を測定することができる。
【００５８】
以上のごとく上述したシュウ酸の分析方法を用いれば、リサイクルＤＢＣと水を加えて混合し分離して調製した分析試料を測定するだけの簡単な工程であるので、リサイクルＤＢＣ中に存在または残存しているシュウ酸の濃度を迅速に把握することができる。このため、かかる値が所定の濃度以下か否かをほぼリアルタイムで把握することができる。
【００５９】
なお、本明細書中の２液体（例えば、抽出工程における金を含有する酸性溶液とＤＢＣや、還元工程における抽出工程後のＤＢＣと還元剤含有水溶液など）を接触させるとは、両者を機械的に撹拌することや、バブリングにより液体を混合すること、両者を並流や向流により接触させることを含む概念である。
【００６０】
（還元物質含有水溶液管理工程について）
とくに、還元工程において、リサイクルＤＢＣに対して還元物質含有水溶液を接触させた後の還元工程後の還元物質含有水溶液中の塩化物イオンが、所定の濃度以下となるように調製する還元物質含有水溶液管理工程を設けるのが好ましい。具体的には、還元物質含有水溶液管理工程において、還元工程後の還元物質含有水溶液中の塩化物イオンの濃度が、２ｍｏｌ／ｌ（７０ｇ／ｌ）以下となるように調製する。
【００６１】
還元工程後の還元物質含有水溶液中の塩化物イオンの濃度が、上記値よりも高い場合、リサイクルＤＢＣ中に抽出された金イオンに対して、還元物質含有水溶液中に過剰に還元物質が存在する。この過剰の還元物質は、金と未反応のまま還元物質含有水溶液中に残留してしまう。すると、この過剰の還元物質は、還元物質含有水溶液中からリサイクルＤＢＣ中に移動してしまう場合がある。この場合、リサイクルＤＢＣ中の還元物質の濃度が所定の値よりも高くなると、かかるリサイクルＤＢＣによる金の抽出率の低下してしまう。そこで、還元物質含有水溶液管理工程では、還元工程後の還元物質含有水溶液中の塩化物イオンが、所定の濃度以下となるように調製することによって、過剰の還元物質が還元物質含有水溶液中に存在しないように調製するのである。
【００６２】
過剰の還元物質が還元物質含有水溶液中に存在しないように調製する方法は、とくに限定されない。例えば、還元反応中の還元物質含有水溶液中の塩化物イオンの濃度を適宜モニタリングしながら、モニタリング値が上記値よりも高くなりそうな場合には水を添加することによって、還元工程後の還元物質含有水溶液中の塩化物イオンの濃度が所定の濃度以下となるように調製してもよい。また、還元反応中の還元物質含有水溶液中の塩化物イオンの濃度を適宜モニタリングしながら、還元物質を添加することによって、還元工程後の還元物質含有水溶液中の塩化物イオンの濃度が所定の濃度以下となるように調製してもよい。
【００６３】
（還元物質含有水溶液管理工程の詳細な説明）
なお、以下では、還元物質含有水溶液中の還元物質としてシュウ酸を代表として詳細に説明する。
【００６４】
還元物質含有水溶液管理工程において、還元工程後の還元物質含有水溶液中の塩化物イオンが、所定の値以下となるように管理することによって、還元物質含有水溶液中に未反応の状態で残存するシュウ酸の発生を抑制できる。
仮に、還元工程後の還元物質含有水溶液中にシュウ酸が残留した場合、還元工程において、リサイクルＤＢＣに対して還元物質含有水溶液を接触させたときに、未反応のシュウ酸がリサイクルＤＢＣ中に抽出され易くなる。
しかし、還元工程後の還元物質含有水溶液中の塩化物イオンが、所定の値以下となるように管理することによって、還元工程後の還元物質含有水溶液中にシュウ酸が残留しにくい状態とすることができる。すると、還元工程において、リサイクルＤＢＣに対して還元物質含有水溶液を接触させたときに、リサイクルＤＢＣに抽出されるシュウ酸を抑制することができる。かかる場合、リサイクルＤＢＣ中に存在または残留するシュウ酸濃度を、所定の値よりも低い状態に維持し易くなる。すると、リサイクルＤＢＣによる金の抽出率の低下を抑制し易くなる。
【００６５】
以下、理由を説明する。
【００６６】
上述した化学式１で示すように、還元工程において、リサイクルＤＢＣに対して還元物質含有水溶液を接触させると、金イオンがシュウ酸と反応して、金と二酸化炭素と塩酸が生成される。
この化学式１の反応状況は、生成する塩化物イオンを分析することによって、簡単に把握することができる。つまり、還元物質含有水溶液中の塩化物イオンの濃度を分析することによって、還元工程後の還元物質含有水溶液中に存在するシュウ酸の濃度をある程度把握することができる。
【００６７】
具体的には、この反応が進行（化学式１の右辺側に向かって進行）すれば、塩化物イオンが生成される。この塩化物イオンの濃度が上昇すれば、化学式１の反応は右辺側に進行しにくくなる。つまり、塩化物イオンの濃度の上昇にともない、化学式１の反応速度が低下する。すると、還元物質含有水溶液中に未反応のシュウ酸が残存する場合がある。したがって、還元物質含有水溶液中の塩化物イオンの濃度を所定の値以下となるように調製することによって、化学式１の反応を適切に右辺側に進行させることができる。
【００６８】
還元物質含有水溶液中の塩化物イオンの濃度は、化学式１の反応が右辺側に適切に進行する程度の濃度となるように調製する。
具体的には、還元工程後の還元物質含有水溶液中の塩化物イオンの濃度が、７０ｇ／ｌ（２．０ｍｏｌ／ｌ）以下が好ましく、より好ましくは、３０ｇ／ｌ（０．８ｍｏｌ／ｌ）〜７０ｇ／ｌ（２．０ｍｏｌ／ｌ）の範囲内であり、さらに好ましくは、３５ｇ／ｌ（１．０ｍｏｌ／ｌ）〜６５ｇ／ｌ（１．８ｍｏｌ／ｌ）の範囲内となるように調製する。還元物質含有水溶液中の塩化物イオンが上記範囲の値よりも高くなると、上述したように還元物質含有水溶液中に未反応のシュウ酸が残存する場合がある。一方、還元物質含有水溶液中の塩化物イオンが上記範囲の値よりも低くなれば、不純物が析出しやすくなる。
したがって、還元工程後の還元物質含有水溶液中の塩化物イオンの濃度は、７０ｇ／ｌ（２．０ｍｏｌ／ｌ）以下が好ましく、より好ましくは、３０ｇ／ｌ（０．８ｍｏｌ／ｌ）〜７０ｇ／ｌ（２．０ｍｏｌ／ｌ）の範囲内であり、さらに好ましくは、１３５ｇ／ｌ（１．０ｍｏｌ／ｌ）〜６５ｇ／ｌ（１．８ｍｏｌ／ｌ）の範囲内となるように調製する。
なお、塩化物イオンの濃度は、塩素１ｍｏｌあたり３５ｇとして算出する。
【００６９】
（塩化物イオンの濃度の分析方法について）
還元物質含有水溶液中の塩化物イオンの濃度の分析は、一般的な分析方法を用いて行うことができる。例えば、電位差滴定法や、液体クロマトグラム法、塩酸の蒸留法、塩化銀の重量法、蛍光Ｘ線分析法などを用いて分析することができる。電位差滴定法を用いた場合、小型の装置で簡便かつ迅速に測定できるため、現場で直ちに濃度を把握し、操業管理にフィードバックできる点で好ましい。また、液体クロマトグラム法を用いた場合は絶対値を正確に把握できる点で好ましいため、電位差滴定法の絶対値の信頼性を確認するための校正用分析として適している。
【００７０】
一般的に、工業的に循環プロセスを用いて金を回収する場合、酸性水溶液中に存在する金イオンの濃度は、酸性水溶液を製造する際の原料品位や、原料処理時のスラリー濃度などによって変動する。当然、リサイクルＤＢＣにより酸性水溶液から抽出した金イオンの濃度も同様に変動する。このため、通常、還元物質含有水溶液は、リサイクルＤＢＣ中に存在する金イオン濃度が変動した場合でも確実に金を還元できるように、多めの量のシュウ酸を添加して調製される。しかし、リサイクルＤＢＣ中の金イオンの濃度が低い場合、還元工程における還元物質含有水溶液中に過剰のシュウ酸が未反応として存在してしまう。この場合、未反応のシュウ酸の一部がリサイクルＤＢＣ中に抽出されてしまう。
【００７１】
また、還元物質含有水溶液は、リサイクルＤＢＣと同様に繰り返し使用される場合がある。この場合、還元物質含有水溶液を繰り返し使用する毎に、一定量のシュウ酸が添加される。この場合、かかる繰り返し使用する還元物質含有水溶液（以下、単にリサイクル水溶液という）中には、未反応のシュウ酸の濃度が上昇することとなる。この未反応のシュウ酸を多く含む還元物質含有水溶液とリサイクル水溶液を混合すれば、未反応のシュウ酸がリサイクルＤＢＣに抽出され易くなる。すると、リサイクルＤＢＣ中のシュウ酸濃度が所定の値以下となるのを維持しにくくなる。
【００７２】
しかるに、還元工程後の還元物質含有水溶液中の塩化物イオンの濃度を、上述した値以下となるように調製することによって、還元物質含有水溶液中に未反応に残存するシュウ酸を抑制することができるので、リサイクルＤＢＣ中のシュウ酸濃度が所定の値以下となるように管理し易くなる。
【実施例】
【００７３】
本発明の金の溶媒抽出方法の有効性を確認した。
実験では、（Ｉ）リサイクルＤＢＣ中に存在または残留するシュウ酸を検出および定量できるか否かを確認し、（ＩＩ）リサイクルＤＢＣ中のシュウ酸濃度と、抽出工程における金の水相への残存濃度との関係を確認し、（ＩＩＩ）還元工程後の還元物質含有水溶液中の塩化物イオン濃度と、抽出工程における金の水相への残存濃度との関係を確認した。
【００７４】
（Ｉ）本本発明の金の溶媒抽出方法のシュウ酸の分析方法（以下、単にシュウ酸の分析方法という）を用いて、リサイクルＤＢＣ中に存在または残留するシュウ酸を検出および定量できるか否かを確認した。
【００７５】
まず、リサイクルＤＢＣ中に存在または残留するシュウ酸を検出できるか否かを確認した。
【００７６】
（分析試料の調製）
実験では、精錬工程における金の回収プロセスにおいて、抽出剤として繰り返し使用されているＤＢＣ（リサイクルＤＢＣ）を分析の対象溶液とした。
【００７７】
金の回収プロセスでは、アノードスライムの酸性の塩素浸出溶液にＤＢＣを接触させて塩素浸出溶液からＤＢＣ中に金を抽出する（抽出工程）。抽出工程で得られた金を含有するＤＢＣをシュウ酸水溶液と混合することにより、ＤＢＣ中の金をシュウ酸で還元して金粉を回収する（還元工程）。そして、還元工程後のＤＢＣは、再度、抽出工程に使用される（抽出剤循環工程）。つまり、ＤＢＣは上述した循環プロセスの系内を循環しているので、上記循環プロセスにおける還元工程後のリサイクルＤＢＣを、本実験の分析の対象溶液とした。
【００７８】
分析の対象溶液であるＤＢＣから１００ｍｌ容量用の分液漏斗に３０ｍｌ分取した。この分液漏斗に超純水３０ｍｌを入れて１分間振とうした。振とう後、１０分間静置した後、下相に位置する水相を分取して分析試料を調製した。
分析試料の分析は、液体クロマトグラフ質量分析計（ＬＣ／ＭＳ）および核磁気共鳴装置（ＮＭＲ）を用いて行った。
【００７９】
ＬＣ／ＭＳ分析では、注入方法としてインフュージョン法を採用した。かかる注入方法を用いて分析する場合、分析試料から希釈用の分析試料を全量１００ｍｌ容量用のメスフラスコに１ｍｌ分取した。その後、かかるメスフラスコに超純水を入れて定容しインフュージョン用の分析試料とした。
【００８０】
実験に使用した機器および分析条件は、以下の通りである。
【００８１】
（ＬＣ／ＭＳ）
ＬＣ／ＭＳ：QSTAR XL（ABサイエックス社製）
注入方法：インフュージョン法
注入量：１ｍｌ
イオン化法：エレクトロスプレーイオン化法（ESI）
測定モード：ネガティブ
【００８２】
（ＮＭＲ）
ＮＭＲ：AVANCE400型（Buruker Biospin社製）
観測核：１３Ｃ核
積算回数：5000回
【００８３】
（結果）
図２には、ＬＣ／ＭＳを用いて分析した実験結果を示す。
図３には、ＮＭＲを用いて分析した実験結果を示す。
なお、図３（Ｂ）には、シュウ酸の標準試料（和光純薬株式会社製、試薬特級）を用いて分析したＮＭＲの結果を示す。
【００８４】
図２に示すように、マススペクトルにおいて、ｍ/ｚ＝88.9876に強いピークが検出された。
本測定モードは、ネガティブモードである。このため、シュウ酸は、プロトン（水素）が１個外れたピークとして検出される。
シュウ酸（分子式Ｃ２Ｈ２Ｏ４）からプロトンが１個外れた場合、つまりＣ２ＨＯ４の理論上の精密質量は、88.9880である。この値は、図２に示した実測値（88.9876）とよく一致していた。
したがって、図２に示すｍ/ｚ＝88.9876のピークは、シュウ酸由来のピークであると推定された。
【００８５】
また、元液のＮＭＲの分析結果（図３（Ａ）の１３Ｃ核  ＮＭＲスペクトル）と、シュウ酸の標準試料のＮＭＲの分析結果（図３（Ｂ）の１３Ｃ核  ＮＭＲスペクトル）を比較すると、図３（Ａ）には、図３（Ｂ）のシュウ酸の標準試料由来の１６５ｐｐｍ付近のピーク（図３の矢印で示したピーク）に一致するピークを検出した。
【００８６】
なお、図３（Ａ）および図３（Ｂ）に検出された８０ｐｐｍ付近のピークは、ＮＭＲ測定に使用される基準物質のクロロホルム由来のピークである。
また、図３（Ａ）に検出された１００ｐｐｍ以下のクロロホルム由来以外の複数のピークは、ＤＢＣ由来のピークであった。
したがって、図３（Ａ）に示す１６５ｐｐｍ付近に検出されたピークは、シュウ酸由来のピークであると推定された。
【００８７】
以上の結果から、シュウ酸の分析方法を用いることにより、リサイクルＤＢＣ中からシュウ酸を検出することができることが確認された。
【００８８】
つぎに、シュウ酸の分析方法を用いることにより、リサイクルＤＢＣ中に存在または残留するシュウ酸を定量できるか否かを確認した。
【００８９】
実験では、上述した分析試料を、高速液体クロマトグラフ（ＨＰＬＣ）およびイオンクロマトグラフ（ＩＣ）を用いて分析した。
【００９０】
実験に使用した機器および分析条件は、以下の通りである。
【００９１】
ＨＰＬＣ：Agilent 1100型（アジレント・テクノロジー社製）
検出器：ＵＶ検出器（アジレント・テクノロジー社製；1100シリーズダイオードアレイ検出器）
検出波長：210ｎｍ
カラム：Supelcogel C-610H（Supelco社製）
移動相：0.1％−りん酸水溶液
【００９２】
ＩＣ：ICS-1000（サーモフィッシャーサイエンティフィック社製）
検出器：電気伝導度検出器（サーモフィッシャーサイエンティフィック社製；ICS-1000型）
カラム：Dionex IonPac AS22（サーモフィッシャーサイエンティフィック社製）
移動相：4.5mmol／LNa２CO３＋1.4mmol／LNaHCO３
【００９３】
（結果）
図４には、ＨＰＬＣを用いて分析した実験結果を示す。
図５には、ＩＣを用いて分析した実験結果を示す。
【００９４】
図４のＨＰＬＣを用いて得られたクロマトグラムから、９．５分付近にピーク（図４の矢印で示したピーク）が検出された。かかるピークは、シュウ酸に由来するものであると推定した。
一方、上述した分析試料にシュウ酸の標準溶液を添加した後、同条件下、ＨＰＬＣを用いて分析した。その結果、図４に示した９．５分付近に検出されたピークと全く同じ場所のピーク強度が向上した。この結果から、かかるピークがシュウ酸であることが確認できた。
【００９５】
この９．５分付近に検出されたピークに基づいて、リサイクルＤＢＣ中のシュウ酸の濃度を算出した。その結果、リサイクルＤＢＣ中のシュウ酸の濃度は、１．１ｍｍｏｌ／ｌ（０．１ｇ／ｌ）であった。
【００９６】
なお、シュウ酸の濃度は以下の方法で算出した。
ＨＰＬＣから得られたクロマトグラムからシュウ酸のピークを検索し、かかるピークのピーク面積を算出した。そして、算出したピーク面積を、検量線（既知濃度のシュウ酸をＨＰＬＣで測定した際のピーク面積と絶対量との関係に基づく検量線）から算出した関係式に代入して分析の対象溶液３０ｍｌ中のシュウ酸の絶対量を算出した。そして、算出した値を分析の対象溶液の溶液量（３０ｍｌ）で除して、（Ｉ）の分析の対象溶液中に存在するシュウ酸の濃度を算出した。
【００９７】
図５のＩＣを用いて得られたクロマトグラムから、１５．７分付近に検出されたピーク（図５の矢印で示したピーク）が、シュウ酸に由来するものであることが確認できた。
【００９８】
この１５．７分付近に検出されたピークに基づいて、リサイクルＤＢＣ中のシュウ酸の濃度を算出した。その結果、リサイクルＤＢＣ中のシュウ酸の濃度は、１．１ｍｍｏｌ／ｌ（０．１ｇ／ｌ）であった。
なお、シュウ酸の濃度は、上述したＨＰＬＣを用いた場合と同様の方法で算出した。
【００９９】
以上の結果から、リサイクルＤＢＣ中のシュウ酸の濃度を適切に算出することができることが確認できた。
【０１００】
以上のように、シュウ酸の分析方法を用いれば、リサイクルＤＢＣ中のシュウ酸の有無を把握することができ、しかも、かかるシュウ酸の濃度を適切に算出することができることが確認できた。
【０１０１】
（ＩＩ）リサイクルＤＢＣ中のシュウ酸濃度と、抽出工程における金の水相への残存濃度との関係を確認した。
【０１０２】
実験では、リサイクルＤＢＣ中を抽出工程の有機抽出剤として循環供給する前に、かかるＤＢＣ中のシュウ酸濃度を測定した。その後、かかるリサイクルＤＢＣを用いて金が含有する酸性水溶液中から金を抽出した。そして、金が抽出された後の酸性水溶液中に存在する金の濃度を分析した。
【０１０３】
リサイクルＤＢＣ中のシュウ酸濃度は、（Ｉ）のシュウ酸の定量方法と同様の方法を用いて分析したので、本実験では割愛する。
また、酸性溶液中の金の分析は、以下の方法により分析した。
【０１０４】
金を含む水溶液試料は、金イオンとして１０〜１００ｍｇ／ｌに希釈し、ＩＣＰ−ＡＥＳ(ＳＩＩナノテクノロジー社製ＳＰＳ−３０００、選定波長２６７．５９５ｎｍ）を用いて分析した。
【０１０５】
実験結果を表１に示す。
【表１】
0006394503.tif 000002
【０１０６】
表１に示すように、リサイクルＤＢＣ中のシュウ酸の濃度の低下に伴い、抽出工程後の酸性水溶液中に残存する金の濃度を低下させることが確認できた。つまり、リサイクルＤＢＣ中のシュウ酸の濃度を低い状態に維持することによって、リサイクルＤＢＣによる酸性水溶液中からの金の抽出率を向上させることができることが確認できた。
また、リサイクルＤＢＣ中のシュウ酸の濃度を０．０１ｍｏｌ／ｌ（０．８７ｇ／ｌ）以下とすれば、リサイクルＤＢＣによる酸性水溶液中からの金の抽出率が大幅に改善することが確認できた。
【０１０７】
（ＩＩＩ）還元工程後の還元物質含有水溶液中の塩化物イオン濃度と、抽出工程における金の水相への残存濃度との関係を確認した。
【０１０８】
実験では、還元工程後の還元物質含有水溶液中の塩化物イオン濃度を分析した。その後、かかるリサイクルＤＢＣを用いて金が含有する酸性水溶液中から金を抽出した。そして、金が抽出された後の酸性水溶液中に存在する金の濃度を分析した。
【０１０９】
還元工程後の還元物質含有水溶液中の塩化物イオン濃度は、以下の方法により分析した。
分析試料から塩化物として５〜５０ｍｇ相当の測定用試料を採取し、硝酸銀による沈殿反応を利用した電位差滴定装置(平沼産業ＣＯＭ−１７５０、Ａｇ電極ＡＧ−３１１)を用いて分析した。
また、酸性水溶液中の金の分析は、上述した金の分析と同様の方法を用いて分析したので、本実験では割愛する。
【０１１０】
実験結果を表２に示す。
【表２】
0006394503.tif 000003
【０１１１】
表２に示すように、還元工程後の還元物質含有水溶液中の塩化物イオン濃度が低下するのに伴い、抽出工程後の酸性水溶液中に残存する金の濃度を低下させることが確認できた。つまり、還元工程後の還元物質含有水溶液中の塩化物イオン濃度を低い状態に調製することによって、リサイクルＤＢＣによる酸性水溶液中からの金の抽出率を向上させることができることが確認できた。
【産業上の利用可能性】
【０１１２】
本発明の金の溶媒抽出方法は、湿式精錬や、リサイクル、廃液処理などの金属イオンを含む水溶液から所望の金属を回収する方法に適している。
【図１】
0006394503.tif 000004
【図２】
0006394503.tif 000005
【図３】
0006394503.tif 000006
【図４】
0006394503.tif 000007
【図５】
0006394503.tif 000008